(57)【要約】【課題】ＣＯＢ型ライトバーを検査するときに、被測定ライトバー上の複数の発光素子の実際の位置を測位することができるライトバーの検査装置及びその検査方法を提供する。【解決手段】ライトバーの検査装置は、支持部と、支持部上に配置され、所定の電流を受け取ると発光する複数の発光素子とを有する少なくとも１つの被測定ライトバー３を検査するために用い、載置装置６１、電流源装置、撮像装置６２及び処理分析装置を備える。載置装置６１は、少なくとも１つの被測定ライトバー３を載置する。電流源装置は、被測定ライトバー３の複数の発光素子を点灯駆動するために、被測定ライトバー３の検査電流を供給する。撮像装置６２は、点灯駆動する発光素子に対向した箇所に位置し、発光素子が発光するときの画像データを順次キャプチャし、画像データを出力する。【選択図】図６
2012093329.tif 000002
【特許請求の範囲】
【請求項１】
支持部と、前記支持部上に配置され、所定の電流（ｃｕｒｒｅｎｔ）を受け取ると発光する複数の発光素子とを有する少なくとも１つの被測定ライトバーを検査するために用い、載置装置、電流源装置、撮像装置及び処理分析装置を備えるライトバーの検査装置であって、
前記載置装置は、少なくとも１つの前記被測定ライトバーを載置し、
前記電流源装置は、前記被測定ライトバーの前記複数の発光素子を点灯駆動するために、前記被測定ライトバーの検査電流を供給し、
前記撮像装置は、点灯駆動する前記発光素子に対向した箇所に位置し、前記発光素子が発光するときの画像データを順次キャプチャし、前記画像データを出力し、
前記処理分析装置は、前記撮像装置からの前記画像データを受信して分析し、前記被測定ライトバー上の複数の前記発光素子の位置情報を得ることを特徴とするライトバーの検査装置。
【請求項２】
前記発光素子が点灯駆動されると、光を照射する１組の照明装置をさらに備え、
前記撮像装置により、前記発光素子が発光するときの前記画像データを順次キャプチャすることを特徴とする請求項１に記載のライトバーの検査装置。
【請求項３】
前記電流源装置が供給する前記検査電流は、前記被測定ライトバー上の前記発光素子を微輝度で発光させる電流であることを特徴とする請求項１に記載のライトバーの検査装置。
【請求項４】
前記撮像装置は、１組の二次元移動機構上に配置され、前記二次元移動機構の駆動により、点灯駆動する前記発光素子に対向した箇所に移動し、前記発光素子が発光するときの前記画像データを順次キャプチャすることを特徴とする請求項１に記載のライトバーの検査装置。
【請求項５】
前記撮像装置は、１組の三次元移動機構上に配置され、前記三次元移動機構の駆動により、点灯駆動する前記発光素子に対向した箇所に移動し、前記発光素子が発光するときの前記画像データを順次キャプチャすることを特徴とする請求項１に記載のライトバーの検査装置。
【請求項６】
前記処理分析装置には、前記撮像装置がキャプチャした前記画像データを分析するために用いる少なくとも１組の対比画像データが保存されていることを特徴とする請求項１に記載のライトバーの検査装置。
【請求項７】
支持部と、前記支持部上に配置され、所定の電流を受け取ると発光する複数の発光素子とを有する少なくとも１つの被測定ライトバーを検査するために用いるライトバーの検査装置の検査方法であって、
（Ａ）電流源装置が出力した電流を前記被測定ライトバーが受け取ると、前記複数の発光素子が点灯駆動されるステップと、
（Ｂ）前記発光素子の対向箇所まで撮像装置が駆動され、各前記発光素子が発光したときの画像データを順次キャプチャし、前記画像データを出力するステップと、
（Ｃ）画像を分析し、少なくとも１組の対比画像データの処理分析装置が受信した前記画像データを保存し、前記処理分析装置の前記対比画像データと比較し、前記被測定ライトバー上の前記発光素子の位置情報を得るステップと、を含むことを特徴とするライトバーの検査方法。
【請求項８】
ステップ（Ｂ）の前記撮像装置は、各前記発光素子が発光するときの前記画像データを順次キャプチャするとともに、前記発光素子が点灯駆動するときに１組の照明装置により光を照射し、前記発光素子が発光するときの前記画像データを順次キャプチャすることを特徴とする請求項７に記載のライトバーの検査方法。
【請求項９】
ステップ（Ａ）の前記電流源装置が供給する検査電流は、前記被測定ライトバー上の前記発光素子を微輝度で発光させる電流であることを特徴とする請求項７に記載のライトバーの検査方法。
【請求項１０】
ステップ（Ｂ）の前記撮像装置は、１組の二次元移動機構の駆動により、点灯駆動する前記発光素子に対向した箇所に移動し、前記発光素子が発光するときの前記画像データを順次キャプチャすることを特徴とする請求項７に記載のライトバーの検査方法。
【請求項１１】
ステップ（Ｂ）の前記撮像装置は、１組の三次元移動機構の駆動により、点灯駆動する前記発光素子に対向した箇所に移動し、前記発光素子が発光するときの前記画像データを順次キャプチャすることを特徴とする請求項７に記載のライトバーの検査方法。
【発明の詳細な説明】
【技術分野】
【０００１】
本発明は、ライトバーの検査装置及びその検査方法に関し、特に、ＣＯＢ型ライトバーの検査に用いる際、被測定ライトバー上の発光素子の実際の位置を正確に測位することができるライトバーの検査装置及びその検査方法に関する。
【背景技術】
【０００２】
図１Ａ及び図１Ｂを参照する。図１Ａ及び図１Ｂに示すように、従来のＬＥＤライトバー（ＬＥＤ  ｌｉｇｈｔ  ｂａｒ）１は、支持部（例えば、回路基板）１２上に複数の発光素子１１を配置してからパッケージ工程を行う際、支持部１２上の発光素子１１を複数の封止層１３により覆って１つのユニットに形成する。その後、ライトバーの検査装置の載置装置２１上にＬＥＤライトバー１を載置して製品を検査する際（図２に示す）、ＬＥＤライトバー１上の各発光素子に対し、光学検査（ｏｐｔｉｃａｌ  ｉｎｓｐｅｃｔｉｏｎ）装置２２を正確に位置合わし、規格を満たしているか否か検査する。
【０００３】
ＬＥＤライトバーは、様々な製品へ応用されるに従い、様々なタイプのＬＥＤライトバーが製造メーカにより開発されており、ＣＯＢ（Ｃｈｉｐ  Ｏｎ  Ｂｏａｒｄ）型ライトバーはそのうちの１つである。図３Ａ〜図３Ｃを参照する。図３Ａ〜図３Ｃに示すように、ＣＯＢ型ライトバー３は、支持部３２上に複数の発光素子３１を設置してから、パッケージ工程を行い、支持部３２上の複数の発光素子３１を封止層３３により一体成形する。ＣＯＢ型ライトバー３の製品を従来のライトバーの検査装置の載置装置２１上に載置して検査を行うとき（図４に示す）、複数の発光素子３１が封止層３３により覆われて一体成形されているため、光学検査装置２２は、各発光素子３１の実際の正確な位置を測位することができず、各発光素子３１が規格を満たしているか否かを検出することができないことがある。
【０００４】
そのため、ＣＯＢ型ライトバーの各発光素子の位置を正確に測位し、ＣＯＢ型ライトバーの検査の正確度を高めて製品の不良率を下げることができるライトバーの検査装置及びその検査方法が求められていた。
【発明の概要】
【発明が解決しようとする課題】
【０００５】
本発明の主な目的は、ＣＯＢ型ライトバーを検査するときに、被測定ライトバー上の複数の発光素子の実際の位置を測位することができるライトバーの検査装置及びその検査方法を提供することにある。
【課題を解決するための手段】
【０００６】
上記課題を解決するために、支持部と、前記支持部上に配置され、所定の電流（ｃｕｒｒｅｎｔ）を受け取ると発光する複数の発光素子とを有する少なくとも１つの被測定ライトバーを検査するために用い、載置装置、電流源装置、撮像装置及び処理分析装置を備えるライトバーの検査装置であって、前記載置装置は、少なくとも１つの前記被測定ライトバーを載置し、前記電流源装置は、前記被測定ライトバーの前記複数の発光素子を点灯駆動するために、前記被測定ライトバーの検査電流を供給し、前記撮像装置は、点灯駆動する前記発光素子に対向した箇所に位置し、前記発光素子が発光するときの画像データを順次キャプチャし、前記画像データを出力し、前記処理分析装置は、前記撮像装置からの前記画像データを受信して分析し、前記被測定ライトバー上の複数の前記発光素子の位置情報を得ることを特徴とするライトバーの検査装置が提供される。
【０００７】
前記発光素子が点灯駆動されると、光を照射する１組の照明装置をさらに備え、前記撮像装置により、前記発光素子が発光するときの前記画像データを順次キャプチャすることが好ましい。
【０００８】
前記電流源装置が供給する前記検査電流は、前記被測定ライトバー上の前記発光素子を微輝度で発光させる電流であることが好ましい。
【０００９】
前記撮像装置は、１組の二次元移動機構上に配置され、前記二次元移動機構の駆動により、点灯駆動する前記発光素子に対向した箇所に移動し、前記発光素子が発光するときの前記画像データを順次キャプチャすることが好ましい。
【００１０】
前記撮像装置は、１組の三次元移動機構上に配置され、前記三次元移動機構の駆動により、点灯駆動する前記発光素子に対向した箇所に移動し、前記発光素子が発光するときの前記画像データを順次キャプチャすることが好ましい。
【００１１】
前記処理分析装置には、前記撮像装置がキャプチャした前記画像データを分析するために用いる少なくとも１組の対比画像データが保存されていることが好ましい。
【００１２】
上記課題を解決するために、支持部と、前記支持部上に配置され、所定の電流を受け取ると発光する複数の発光素子とを有する少なくとも１つの被測定ライトバーを検査するために用いるライトバーの検査装置の検査方法であって、（Ａ）電流源装置が出力した電流を前記被測定ライトバーが受け取ると、前記複数の発光素子が点灯駆動されるステップと、（Ｂ）前記発光素子の対向箇所まで撮像装置が駆動され、各前記発光素子が発光したときの画像データを順次キャプチャし、前記画像データを出力するステップと、（Ｃ）画像を分析し、少なくとも１組の対比画像データの処理分析装置が受信した前記画像データを保存し、前記処理分析装置の前記対比画像データと比較し、前記被測定ライトバー上の前記発光素子の位置情報を得るステップと、を含むことを特徴とするライトバーの検査方法が提供される。
【００１３】
ステップ（Ｂ）の前記撮像装置は、各前記発光素子が発光するときの前記画像データを順次キャプチャするとともに、前記発光素子が点灯駆動するときに１組の照明装置により光を照射し、前記発光素子が発光するときの前記画像データを順次キャプチャすることが好ましい。
【００１４】
ステップ（Ａ）の前記電流源装置が供給する検査電流は、前記被測定ライトバー上の前記発光素子を微輝度で発光させる電流であることが好ましい。
【００１５】
ステップ（Ｂ）の前記撮像装置は、１組の二次元移動機構の駆動により、点灯駆動する前記発光素子に対向した箇所に移動し、前記発光素子が発光するときの前記画像データを順次キャプチャすることが好ましい。
【００１６】
ステップ（Ｂ）の前記撮像装置は、１組の三次元移動機構の駆動により、点灯駆動する前記発光素子に対向した箇所に移動し、前記発光素子が発光するときの前記画像データを順次キャプチャすることが好ましい。
【発明の効果】
【００１７】
本発明のライトバーの検査装置及びその検査方法は、以下（１）〜（３）の効果を有する。
（１）ＣＯＢ型ライトバーを検査するときに、被測定ライトバー上の複数の発光素子の実際の位置を正確に測位することができる。
（２）ＣＯＢ型ライトバーだけでなく、その他のタイプのライトバーの位置を測位して検査することができる。
（３）ライトバーの検査作業の正確度を大幅に向上させることができる。
【図面の簡単な説明】
【００１８】
【図１Ａ】従来のＬＥＤライトバーを示す側面図である。
【図１Ｂ】従来のＬＥＤライトバーを示す平面図である。
【図２】従来のＬＥＤライトバーを従来の検査装置により検査するときの状態を示す斜視図である。
【図３Ａ】ＣＯＢ型ライトバーを示す側面図である。
【図３Ｂ】ＣＯＢ型ライトバーを示す平面図である。
【図３Ｃ】ＣＯＢ型ライトバーを示す平面透視図である。
【図４】従来の検査装置によりＣＯＢ型ライトバーを検査するときの状態を示す斜視図である。
【図５】本発明の一実施形態によるライトバーの検査装置を示す模式図である。
【図６】本発明の一実施形態によるライトバーの検査装置の載置装置上にＣＯＢ型ライトバーを載置して検査するときの状態を示す模式図である。
【図７】本発明の一実施形態によるライトバーの検査装置を示すブロック図である。
【図８】本発明の一実施形態によるライトバーの検査装置の検査方法を示す流れ図である。
【図９】本発明の一実施形態によるライトバーの検査装置によりＣＯＢ型ライトバーの発光素子を位置決めするときの状態を示す模式図である。
【図１０】本発明の一実施形態によるライトバーの検査装置の検査方法によりＣＯＢ型ライトバーの発光素子を位置決めするときの状態を示す写真である。
【発明を実施するための形態】
【００１９】
以下、本発明の実施形態について図に基づいて説明する。なお、これによって本発明が限定されるものではない。
【００２０】
図５を参照する。図５に示すように、本発明の一実施形態によるライトバーの検査装置及びその検査方法のライトバーテスター５は、内部に検査空間を有する。この検査空間は、カバー５１により封止領域が構成され、この封止領域でライトバーを検査し、検査空間の側部には、ライトバーの検出作業を制御するために用いる制御ユニット（ｃｏｎｔｒｏｌ  ｕｎｉｔ）５２が配置されている。
【００２１】
図６を参照する。図６に示すように、ＣＯＢ型ライトバー３を検査する場合、ライトバーテスターの載置装置６１上にＣＯＢ型ライトバー３を載置する。載置装置６１の上方には、１組の移動機構が上方に接続された撮像装置６２が配置されている。当業者であれば分かるように、移動機構６３は、二次元移動機構又は三次元移動機構でもよく、点灯駆動された発光素子に対応した箇所へ撮像装置６２を移動し、発光素子が発光したときの画像データを順次キャプチャする。他の実施形態では、載置装置６１の下方に配置した移動機構６３により、撮像装置６２に対して載置装置６１を移動させ、同様の効果を得てもよい。
【００２２】
図７を参照する。図７に示すように、本発明の一実施形態によるライトバーの検査装置７は、載置装置７１、電流源装置７２、撮像装置７３及び処理分析装置７４を含む。載置装置７１は、少なくとも１つの被測定ライトバーを載置するために用いる。電流源装置７２は、被測定ライトバーの検査電流を供給し、被測定ライトバーの複数の発光素子が点灯駆動される。発光素子は、電流を受けると微輝度で発光する。検査電流は、被測定ライトバーの種類又は規格に応じて１００μＡ〜１５０ｍＡに設定される。
【００２３】
また、必要に応じ、複数の発光素子が点灯駆動される際、光を照射する１組の照明装置７５を増設してもよい。
【００２４】
撮像装置７３は、点灯駆動する発光素子に対向した箇所に位置し、発光素子が発光するときの画像データを順次キャプチャし、画像データを出力するために用いる。
【００２５】
処理分析装置７４は、撮像装置７３からの画像データを受信し、画像データを直接分析したり、内部に保存してある対比画像データと比較したりし、被測定ライトバー上の複数の発光素子の位置情報を得る。
【００２６】
以下、本発明の一実施形態によるライトバーの検出方法を説明する。検査装置７は、予め設定した情報及び設定値（例えば、ライトバーの検査項目、検査範囲、ＬＥＤ座標など）を利用し、処理分析装置の検査基準を設定する。検査ステップを行う際、載置装置に数組の被測定ライトバーを載置し、移動機構により撮像装置を駆動させ、検査開始位置で待機させる。この検査開始位置は、ユーザの必要に応じて設定することもできる。
【００２７】
一般に、同一バッチの被測定ライトバーは、規格を全て一致させなければならないため、予め設定した情報及び設定値の下、検査を開始した後に、移動機構により撮像装置を駆動させ、被測定ライトバーの上方へ迅速に移動させて位置決めする。撮像装置が移動するとともに、被測定ライトバー中のＬＥＤは、電流源装置の駆動電流を受け取って微輝度で発光し、撮像装置が各ＬＥＤに対応した上方位置に移動する毎に撮像を１回行う。
【００２８】
図８を参照する。図８に示すように、本発明の一実施形態によるライトバーの検査装置の検査方法は、以下ステップ８０１〜８０４を含む。
（Ａ）ステップ８０１：ライトバーの検査装置の載置装置上へ被測定ライトバーを載置する。
（Ｂ）ステップ８０２：被測定ライトバーが電流を受け取ると、複数の発光素子が点灯駆動される。
（Ｃ）ステップ８０３：撮像装置が発光素子の対向箇所まで駆動され、各発光素子が発光したときの画像データを順次キャプチャし、画像データを出力する。
（Ｄ）ステップ８０４：画像を分析し、少なくとも１組の対比画像データの処理分析装置が受信した画像データを保存し、処理分析装置の対比画像データと比較し、被測定ライトバー上の発光素子の位置情報を得る。
【００２９】
図９及び図１０を参照する。図９及び図１０に示すように、本発明の一実施形態によるライトバーの検査装置及びその検査方法は、電流源装置により検査電流を供給し、被測定ライトバー３の複数の発光素子３１が点灯駆動する際、発光素子３１が微輝度で発光するため、撮像装置は暗い環境でも画像データを正確にキャプチャすることができる。
【００３０】
上述したことから分かるように、本発明のライトバーの検査装置及びその検査方法は、従来技術と異なり以下（１）〜（３）の長所を有する。
（１）ＣＯＢ型ライトバーを検査するときに、被測定ライトバー上の複数の発光素子の実際の位置を正確に測位することができる。
（２）ＣＯＢ型ライトバーだけでなく、その他のタイプのライトバーの位置を測位して検査することができる。
（３）ライトバーの検査作業の正確度を大幅に向上させることができる。
【００３１】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３２】
１  ＬＥＤライトバー
３  ＣＯＢ型ライトバー
５  ライトバーテスター
７  検査装置
１１  発光素子
１２  支持部
１３  封止層
２１  載置装置
２２  光学検査装置
３１  発光素子
３２  支持部
３３  封止層
５１  カバー
５２  制御ユニット（ｃｏｎｔｒｏｌ  ｕｎｉｔ）
６１  載置装置
６２  撮像装置
６３  移動機構
７１  載置装置
７２  電流源装置（ｃｕｒｒｅｎｔ  ｓｏｕｒｃｅ  ｄｅｖｉｃｅ）
７３  撮像装置（ｉｍａｇｅ  ｃａｐｔｕｒｅ  ｄｅｖｉｃｅ）
７４  処理分析装置
７５  照明装置（ｌｉｇｈｔｉｎｇ  ｄｅｖｉｃｅ）
【図１Ａ】
2012093329.tif 000003
【図１Ｂ】
2012093329.tif 000004
【図２】
2012093329.tif 000005
【図３Ａ】
2012093329.tif 000006
【図３Ｂ】
2012093329.tif 000007
【図３Ｃ】
2012093329.tif 000008
【図４】
2012093329.tif 000009
【図５】
2012093329.tif 000010
【図６】
2012093329.tif 000011
【図７】
2012093329.tif 000012
【図８】
2012093329.tif 000013
【図９】
2012093329.tif 000014
【図１０】
2012093329.tif 000015